(57)【特許請求の範囲】
【請求項１】
躯体間隙を介して隣接する躯体のいずれか一方に固定して躯体間隙内に間隙長手方向（Ｚ方向）を軸方向とする回転軸体を配設し、この回転軸体の表側に躯体間隙を被閉するジョイントパネルを回転可能に取付け、当該ジョイントパネルの裏面側に回転ガイド機構を配設し、隣接する躯体が互いに近接する方向に変動すると当該回転ガイド機構によってジョイントパネルが所定方向に回転するように構成してなるエキスパンションジョイント。
【請求項２】
上記回転ガイド機構は、ジョイントパネルの裏面側に斜面部を有するガイド部材を配設する一方、一方の躯体の間隙内側面から間隙幅方向にスライドアームを張設し、隣接する躯体が互いに近接する方向に変動すると、スライドアーム先端部がガイド部材の斜面部に当接して当該斜面部に沿って摺動し、この摺動に伴ってジョイントパネルが所定方向に押出されて回転するように構成されたものである請求項１に記載のエキスパンションジョイント。
【請求項３】
上記回転軸体は、バネ機構を内蔵し、復元力を備えたものである請求項１又は２に記載のエキスパンションジョイント。
【請求項４】
上記回転軸は、バネ機構及びその復元スピ−ドを抑制する緩衝機構を内蔵したものである請求項１又は２に記載のエキスパンションジョイント。
【発明の詳細な説明】
【０００１】
【発明の属する技術分野】
本発明は、隣接する躯体間の躯体間隙をジョイントパネルで被閉するとともに、このジョイントパネルが躯体変動に追随して動作し、かかる躯体変動を吸収することができるエキスパンションジョイントに関する。
【０００２】
【従来の技術】
従来、この種のエキスパンションジョイントとして、例えば図８に示すように、隣接する躯体Ａ，Ｂ間の間隙Ｃを２枚のパネル５１、５２で被閉するエキスパンションジョイントにおいて、パネル５１の上面に間隙幅方向（以下「Ｘ方向」という。）に長尺なボルト挿通孔５６を形成し、パネル５２には内部にＸ方向に長尺なボルトスライド部５５を形成し、パネル５１を蝶番５３を介して躯体Ａに間隙奥行方向（以下「Ｙ方向」という。）に回動自在に取り付ける一方、パネル５２を蝶番５４を介して躯体ＢにＹ方向に回動自在に取り付け、両パネル５１、５２の先端側同士を重合し、前記ボルトスライド部５５、ボルト挿通孔５６間にボルト５７及びナット５８を装着して両パネル５１、５２をＸ方向に摺動可能に連結して、躯体Ａ，ＢがＸ方向、Ｙ方向のいずれの方向に変動しても追随してこれを吸収できるように構成してなるエキスパンションジョイント５０が開示されている（特開平９−２５６４８２号公報）。
【０００３】
ところが、かかるエキスパンションジョイント５０は、意匠的観点からパネル５２を躯体Ａの仕上げ面と面一になるように配設しようとすると、パネル５１の取付け高さをパネル５２の厚さ分だけ低い位置に設定することとなり、それではエキスパンションジョイント５０のＸ方向の追随性が大幅に制限されてしまう。
【０００４】
そこで、特願平１０−２８３７７４号（現在未公開）は、図９に示すように、先端面を下向き傾斜面６５としてなる上側パネル６２を、躯体Ａに間隙奥行き方向（Ｙ方向）に回動可能に取り付ける一方、その上面の基端部に斜面を備えた乗上台部６６を配設してなる下側パネル６３を、躯体ＢにＹ方向に回動可能に取り付け，これら上側パネル６２及び下側パネル６３の先端部同士を間隙Ｃにおいて間隙幅方向（Ｘ方向）に摺動可能に重合すると共に、かかる重合部を伸縮可能な連結部材６４によって連結してエキスパンションジョイント６１を構成し、躯体Ａ，Ｂが互いに近接する方向に変動すると上側パネル６２が当該台部６６上に乗り上がるように構成したものを提案している。
【０００５】
【発明が解決しようとする課題】
このエキスパンションジョイント６１は、確かにジョイントパネル（上側パネル６２）表面と躯体仕上面とを面一に配設することができ、しかもそのように配設してもＸ方向の追随性を充分確保することことができる。しかし、このエキスパンションジョイント６１を躯体の壁面間に設置した場合、間隙Ｃ内に上側パネル６２のほかに台部６６が配設される構造が外側から確認でき、意匠的観点からの改良の余地が残されていた。意匠的には、間隙Ｃ内にジョイントパネル（上側パネル６２）のみが配設されているように見えるのが好ましく、更に言えば、外側からではエキスパンションが組み込まれていることすら分からないのが好ましいと言える。
また、エキスパンションジョイント６１は、上側パネル６２が躯体Ｂ上に乗り上がるように構成されているため、例えば躯体Ｂの躯体仕上面に壁など上側パネル６２の乗り上がり動作を妨げる構造物があると適用できないという課題もあった。
【０００６】
そこで本発明は、ジョイントパネルを躯体仕上面と面一に配設することができ、そのように配設しても躯体変動に追随して躯体変動を吸収することができ、しかも外側から見ただけでは躯体間隙内にエキスパンションが組み込まれていることを確認できず、更には躯体の仕上げ面の構造にかかわらず適用することができるエキスパンションジョイントを提供せんとするものである。
【０００７】
【課題を解決するための手段】
上記課題を解決するため、本発明は、躯体間隙を介して隣接する躯体のいずれか一方に固定して躯体間隙内に間隙長手方向を軸方向とする回転軸体を配設し、この回転軸体の表側に躯体間隙を被閉するジョイントパネルを回転可能に取付け、当該ジョイントパネルの裏面側に回転ガイド機構を配設し、隣接する躯体が互いに近接する方向に変動すると当該回転ガイド機構によってジョイントパネルが所定方向に回転するようにエキスパンションジョイントを構成することとした。
【０００８】
かかる構成のエキスパンションジョイントは、例えば図１（Ｂ）に示すように、隣接する躯体Ａ，Ｂが互いに近接する方向に変動すると、この躯体変動に追随して躯体間隙Ｃ内でジョイントパネルＰが回転し、躯体Ａ，ＢとジョイントパネルＰとの接触を避けることができ、躯体変動を吸収することができる。逆に、隣接する躯体Ａ，Ｂが互いに離反する方向に変動しても、ジョイントパネルＰは隣接する躯体Ａ，Ｂのいずれか一方に固定してあるから、一方の躯体と一体となって変動し、やはり躯体Ａ，ＢとジョイントパネルＰとの接触によって破損を生じることはないから、躯体変動を吸収することができる。また、その他の方向に躯体が変動しても、やはりかかる追随して躯体変動を吸収することができる。
更に、図１（Ａ）（Ｂ）に示すように、躯体Ａ，Ｂの躯体仕上げ面ａ，ｂとジョイントパネルの表面とが面一になるように設置することができ、この場合、上記同様に躯体変動に追随して躯体変動を吸収することができることはもちろん、ジョイントパネルＰを回転可能に支持する回転軸体ＯをジョイントパネルＰの裏面側に隠すように構成してあるから、外側から見ただけでは、図１（Ａ）に示すように、躯体間隙Ｃ内には一枚のジョイントパネルＰのみが配設されているように見え、例えばジョイントパネルＰの表面に躯体Ａ，Ｂの仕上げ面ａ，ｂと同様の模様を付すなどすれば、躯体Ａ，Ｂ間にエキスパンションジョイントが組み込まれていることすら気づかせないようにすることができる。
また、本発明のエキスパンションジョイントは、躯体間隙内でジョイントパネルを回転させて躯体変動を吸収する構成であるから、躯体仕上げ面の形状にかかわらず設置することができる。
【０００９】
本発明で使用する回転軸体には、バネ機構を内蔵し、復元力を備えているものが好ましい。このように回転軸体が復元力を備えていれば、地震などによって躯体が交互に遠近するように変動したとしても、ジョイントパネルが開きっぱなしになることはないから、例えば地震が終われば元の状態に自動的に戻るようになる。
更に、バネ機構に加えて、その復元スピ−ドを抑制する緩衝機構を内蔵したものであれば、ゆっくりと復元回転させることができるから、地震時の激しい揺れがおさまった後にゆっくりと戻すことができ、激しい揺れによってジョイントパネルが躯体等に接触して破損するのを防ぐことができる。
ただし、本発明で使用する回転軸体は、上記機構を備えた回転軸体に限定するものはない。
【００１０】
この回転軸体は、隣接する躯体から離して躯体間隙内に配設し、ジョイントパネルを躯体間隙内で両側回転するように、すなわち回転扉のように回転するように配設する。例えば、躯体間隙内の間隙幅方向（Ｘ方向）ほぼ中央部に配設すれば、躯体間隙幅の約５０％の躯体変動を吸収することができる。
【００１１】
次に、上記の回転ガイド機構、すなわちジョイントパネルを所定方向に回転させるように案内する機構には、様々なものを適用することができ、例えば、ジョイントパネルの裏面側に斜面部を有するガイド部材を配設する一方、一方の躯体の間隙内側面から間隙幅方向にスライドアームを張設し、隣接する躯体が互いに近接する方向に変動すると、スライドアーム先端部がガイド部材の斜面部に当接して当該斜面部に沿って摺動し、この摺動に伴ってジョイントパネルが所定方向に押出されて回転するように構成されたものものを挙げることができる。この時、ガイド部材及びスライドアームは適宜数設置することができる。
【００１２】
本発明のエキスパンションジョイントは、下記実施例で示す壁面は勿論、天面、屋根、軒天など、あらゆる部位の躯体間隙に設置可能である。
また、間隙長手方向（Ｚ方向）にジョイントパネルを何枚も連ねて配設することもできる。
【００１３】
【発明の実施の形態】
以下、本発明に係るエキスパンションジョイントの好適な実施の形態を図面を用いて説明する。
【００１４】
エキスパンションジョイント１は、図２〜図７に示すように、躯体Ａ，Ｂの仕上げ面ａ，ｂと面一となるようにジョイントパネル２を配設して躯体Ａ，Ｂ間の間隙Ｃを被閉し、かつ躯体Ａ，Ｂの変動に追随してジョイントパネル２が間隙Ｃ内で回転して当該躯体変動を吸収するように構成してある。
【００１５】
詳しくは、図２及び図３に示すにように、躯体Ａの間隙内側面ｃにおけるジョイントパネル２の下端部付近に回転軸支持板３の基端部を固定し、この回転軸支持板３を間隙幅方向（Ｘ方向）に水平に張出させ、そして回転軸支持板３の先端側部に回転軸体４の下端部を固定し、回転軸体４を間隙Ｃ内のＸ方向ほぼ中央部において間隙長手方向（「Ｚ方向」、本例では垂直方向）に立設してある。
【００１６】
この回転軸体４は、長尺な円筒体４ａ内に軸部４ｂ、バネ機構及び緩衝機構等を内蔵し、軸部４ｂの回りを円筒体４ａが回転すると共に、バネ機構によって復元力を発揮し、更にその復元力を緩衝機構によって緩衝して一定時間をかけてゆっくりと復元する機能を備えている。
ここで、バネ機構としては、円筒体４ａと軸部４ｂとをスプリングで連結した構成などを挙げることができるが、その他、現在公知の種々のバネ機構を採用可能である。また、緩衝機構としても、油圧によって緩衝作用を発揮するものを挙げることができるが、その他、現在公知の種々の緩衝機構を採用可能である。
【００１７】
そして、この回転軸体４と、円筒体４ａに固定した連結板５を介してジョイントパネル２の裏面とを固着し、ジョイントパネル２が円筒体４ａと一体に回転し、かつ回転軸体４のバネ機構によって右回転する方向（図２の矢印方向）に付勢してある。
【００１８】
ここで、ジョイントパネル２は、フレーム材２ａで骨組を構成し、これをカバー材２ｂで被覆したパネル体であり、図２で示すように、間隙Ｃの短手幅（Ｘ方向幅）よりも若干狭い幅と適宜長さとを有し、図３に示すように、ジョイントパネル２の裏面側下端部付近に連結板５を固着して、このジョイントパネル２を下側から回転可能に支持し、ジョイントパネル２の左右両側には躯体Ａ，Ｂとの間に僅かな隙間をおいて間隙Ｃのほぼ中央に配設してある。
なお、本例では、上記のようにジョイントパネル２を、連結板５、回転軸体４及び回転軸支持板３で支持している。すなわち、ジョイントパネル２を下側からのみ支持しているが、ジョイントパネル２の上側にも連結板、回転軸体及び回転軸支持板を配設するなどしてジョイントパネル２を上下から支持するようにしてもよい。
【００１９】
ジョイントパネル２の裏面部には、図２及び図３に示すように、その比較的上側部位に、斜面部６ａを有するガイドプレート６を配設してある。
このガイドプレート６は、固着部６ｂと、上縁部を斜面部６ａとしてなる三角状プレート６ｃとからなり、固着部６ｂをジョイントパネル２の裏面部に固着して三角状プレート６ｃを水平に張り出させ、斜面部６ａを躯体Ｂの間隙内側面ｄに対峙させてある。
また、ジョイントパネル２の裏面側躯体Ａ側端部付近には、図２に示すように、先端側縁部にガスケット７を固着してなる長尺な隙間閉塞板８をジョイントパネル２の側縁部に沿って固着してあり、ガスケット７を躯体Ａの間隙内側面ｃに当接してジョイントパネル２と躯体Ａとの間の僅かな隙間を閉塞し得るようにしてある。
【００２０】
上記構成に対して、躯体Ｂ側には、先ず、その間隙内側面ｄの上記ガイドプレート６を配設した高さに、Ｌ型アングル１０を介してスライドア−ム１１を配設してある。
このスライドア−ム１１は、適宜幅を有する板体先端部を下方に折曲した如きに形成してあり、基端部をＬ型アングル１０を介して間隙内側面ｄに固定して先端側を間隙幅方向（Ｘ方向）に張出し、その先端部をガイドプレート６の斜面部６ａの始点近傍に配置してある。なお、先端部を斜面部６ａに当接するように配置することも可能であるが、そうすると少しの躯体変動によってジョイントパネル２が回転するようになるから、若干距離をおいて配置するのが好ましい。
【００２１】
このスライドア−ム１１のジョイントパネル側すなわち表側（図の下側）には、基端縁部にガスケット１４を固着してなる長尺な隙間閉塞板１５を装着し、ガスケット１４を間隙内側面ｄに固着してジョイントパネル２と躯体Ｂとの間の僅かな隙間を閉塞するようにしてある。
【００２２】
さらに躯体Ｂ側には、上記ガイドプレート６とはずれた高さに、Ｌ型アングル１２を介して支持ア−ム１３を配設してある。
この支持ア−ム１３も、上記スライドア−ム１１同様、適宜幅を有する板体先端部を下方に折曲した如きに形成してあり、基端部をＬ型アングル１２を介して間隙内側面ｄに固定して先端側を間隙幅方向（Ｘ方向）に張出し、先端部をジョイントパネル２の裏面に当接させて、ジョイントパネル２が付勢によって右回転しないように支持している。
ここで、上記スライドア−ム１１と支持ア−ム１３は、同様の形状に形成してあるが、両者のアーム長さ、すなわち躯体Ｂの間隙内側面ｄからの張出長さは、支持ア−ム１３の方をより長く設定してあり、たとえ躯体Ａ、Ｂが互いに離反する方向に変動したとしても、少なくとも支持ア−ム１３の先端部がジョイントパネル２の裏面に当接し支持し得るようにしてある。
【００２３】
以下、躯体Ａ，Ｂの変動に伴うエキスパンションジョイント１の動作について説明する。
【００２４】
躯体Ａ，Ｂが互いにＸ方向に近接する方向に変動すると、図４に示すように、スライドア−ム１１の先端部がガイドプレート６の斜面部６ａに当接してこの斜面部６ａに沿って摺動し、同図に示すように、ジョイントパネル２の左側を外側に押し出すから、ジョイントパネル２は回転軸体４を軸として左回転する。このように、かかる躯体変動があっても、ジョイントパネル２は躯体Ａ，Ｂと接触しないように間隙Ｃ内で回転して躯体変動を吸収することができる。
【００２５】
他方、図５に示すように、躯体Ａ，Ｂが互いにＸ方向に離反する方向に変動する場合も、又、図示はしないが、躯体Ａ，Ｂが互いにＺ方向に変動する場合も、ジョイントパネル２は回転軸体４及び回転軸支持板３を介して一方の躯体Ａのみに固定してあるから、ジョイントパネル２は躯体Ａと伴に変動し、この場合もジョイントパネル２は躯体Ａ，Ｂと接触しないように変動して躯体変動を吸収することができる。しかも、この時、比較的長尺なアーム長を備えた支持ア−ム１３がジョイントパネル２の裏面部を当接支持した状態で摺動するから、このように躯体Ａ，Ｂが変動してもジョイントパネル２の表面と躯体仕上げ面ａ，ｂとを面一に維持することができる。
【００２６】
また、図６及び図７に示すように、躯体Ａ，Ｂが互いにＹ方向に変動する場合には、躯体変動に追随してジョイントパネル２が躯体間隙Ｃ内で回転してこれを吸収することができる。
躯体Ａ，Ｂの変動は実際には上記の変動が複合された円状の運動を含むことになるが、いずれの変動にもジョイントパネル２は追随して変動することができ躯体変動を吸収することができる。
【００２７】
更に、ジョイントパネル２は回転軸体４によって右回転方向に付勢され、この付勢状態を支持ア−ム１３で支持する構成であるから、地震などによって上記の如く躯体Ａ，Ｂが変動したとしても、いずれの場合にもジョイントパネル２が途中で開きっぱなしになることがなく、自動的に地震後にはまた元の状態に戻ることになる。
しかも、この元に戻る際の復元スピードを緩衝機構で抑制することができるから、激しい揺れがおさまった後でゆっくりとジョイントパネル２が元の状態に戻るように復元回転させることができる。すなわち、激しい揺れの時にジョイントパネル２が元の状態に戻ると、この時にジョイントパネル２と躯体Ａ，Ｂとが接触してパネルが破損する可能性が最も高いから、この激しい揺れの時を回避して元に戻すことによりジョイントパネル２の損傷をより一層防ぐことができる。
【図面の簡単な説明】
【図１】本発明のエキスパンションジョイントの構成を説明するため、かかるエキスパンションジョイントを躯体の壁面間に設置した場合の概略図であり、（Ａ）は正面から見た図、（Ｂ）は上側みた図である。
【図２】本発明の一実施例としてのエキスパンションジョイントを適用したジョイント構造を上側から見た場合の一部断面図である。
【図３】図２のジョイント構造内部の構造を躯体Ｂ側から見た場合の側断面図である。
【図４】隣接する躯体がＸ方向に互いに接近する方向に変動した場合のジョイント構造の動作の一例を示した一部断面図である。
【図５】隣接する躯体がＸ方向に互いに離反する方向に変動した場合のジョイント構造の動作の一例を示した一部断面図である。
【図６】隣接する躯体がＹ方向に変動した場合のジョイント構造の動作の一例を示した一部断面図である。
【図７】隣接する躯体が、図７とは異なるＹ方向に変動した場合のジョイント構造の動作の一例を示した一部断面図である。
【図８】従来のエキスパンションジョイントの一例を示した断面図である。
【図９】同じく、従来のエキスパンションジョイントの一例を示した断面図である。
【図１０】Ｘ方向、Ｙ方向、Ｚ方向を説明するための一部断面斜視図である。
【符号の説明】
Ａ，Ｂ  躯体
ａ，ｂ  仕上げ面
ｃ，ｄ  間隙内側面
Ｃ    間隙
１    エキスパンションジョイント
２    ジョイントパネル
３    回転軸支持板
４    回転軸体
６    ガイドプレート
７    ガスケット
８    隙間閉塞板
１１  スライドア−ム
１３  支持ア−ム
１４  ガスケット
１５  隙間閉塞板
【図１】
0004124934.tif 000002
【図２】
0004124934.tif 000003
【図３】
0004124934.tif 000004
【図４】
0004124934.tif 000005
【図５】
0004124934.tif 000006
【図６】
0004124934.tif 000007
【図７】
0004124934.tif 000008
【図８】
0004124934.tif 000009
【図９】
0004124934.tif 000010
【図１０】
0004124934.tif 000011